(57)【要約】光学式検知装置（１０）の基準部材清掃装置（２３）は、駆動手段（２６）により、基準部材（２０）を搬送しつつ、拭取部材（２４）を回転させる。光学式検知装置（１０）の基準部材清掃装置（２３）は、拭取部材（２４）と基準部材（２０）とが接する位置において、前記拭取部材（２４）の回転方向と、基準部材（２０）の搬送方向と、が逆方向になるように駆動手段（２６）の動力を拭取部材（２４）及び基準部材（２０）に伝達する。
2010044428.tif 000002
【特許請求の範囲】
【請求項１】
光学式検知装置に用いられる基準部材清掃装置であって、
光を反射する基準部材と、
前記基準部材と接する位置に設けられ、前記基準部材の表面を清掃する正逆回転が可能である拭取部材と、
正回転方向及び逆回転方向のうちの何れかの動力を出力する駆動手段と、
前記駆動手段の回転軸に接続され、前記基準部材を所定の方向に搬送するように前記駆動手段の動力を前記基準部材に伝達し、前記拭取部材を所定の方向に回転させるように前記駆動手段の動力を前記拭取部材に伝達する伝達手段と、
前記駆動手段の回転方向を制御する制御手段と、
を具備することを特徴とする基準部材清掃装置。
【請求項２】
前記伝達手段は、前記基準部材の搬送方向と、前記基準部材と前記拭取部材との接点における前記拭取部材の回転方向と、が逆になるように前記駆動手段の動力を伝達することを特徴とする請求項１に記載の基準部材清掃装置。
【請求項３】
前記伝達手段は、
第１の回転要素と、
前記駆動手段の回転軸と前記第１の回転要素とに掛けまわされるベルトと、
前記ベルトと前記基準部材とを連動させる連動部材と、
をさらに具備することを特徴とする請求項２に記載の基準部材清掃装置。
【請求項４】
前記伝達手段は、
前記第１の回転要素に連動して回転する第１の回転軸と、
前記第１の回転軸に連動して回転する第２の回転要素と、
前記第２の回転要素に接続され、前記第２の回転要素の回転方向と逆の方向に回転する第３の回転要素と、
前記第３の回転要素に連動して回転する第２の回転軸と、
をさらに具備し、
前記拭取部材は、前記第２の回転軸に連動して回転する、
ことを特徴とする請求項３に記載の基準部材清掃装置。
【請求項５】
前記駆動手段の回転軸と前記第１の回転要素とは、少なくとも前記基準部材を搬送する距離以上離間して設置されることを特徴とする請求項３に記載の基準部材清掃装置。
【請求項６】
前記基準部材の搬送距離を検出する位置検出センサをさらに具備し、
前記制御部は、前記位置検出センサの出力に基づいて、前記駆動手段の回転方向を制御する、
ことを特徴とする請求項２に記載の基準部材清掃装置。
【請求項７】
前記制御部は、前記位置検出センサの出力に基づいて前記基準部材を予め設定される所定距離以上搬送したと判断した場合、前記駆動手段の回転方向を切り替えることを特徴とする請求項６に記載の基準部材清掃装置。
【請求項８】
前記制御部は、前記駆動手段の回転数に基づいて、前記基準部材の搬送距離を判断し、前記基準部材を予め設定される所定距離以上搬送したと判断した場合、前記駆動手段の回転方向を切り替えることを特徴とする請求項２に記載の基準部材清掃装置。
【請求項９】
光を反射する基準部材と、前記基準部材の表面を清掃する拭取部材とを具備する基準部材清掃装置に用いられる基準部材清掃方法であって、
正回転方向及び逆回転方向のうちの何れかの動力を出力し、
前記基準部材を所定の方向に搬送するように前記動力を前記基準部材に伝達し、前記拭取部材を所定の方向に回転させるように前記動力を前記拭取部材に伝達し、
前記動力の回転方向を制御する、
ことを特徴とする基準部材清掃方法。
【発明の詳細な説明】
【技術分野】
【０００１】
本発明は、例えば、搬送される紙葉類から光を検知する光学式検知装置の基準部材清掃装置、及び基準部材清掃方法に関する。
【背景技術】
【０００２】
従来、種々の紙葉類の計数及び判別を行う紙葉類処理装置が実用化されている。紙葉類処理装置は、投入部に投入された紙葉類を１枚ずつ取り込み、光学式検知装置に搬送する。光学式検知装置は、紙葉類から光を検知し、検知した光に基づいて画像を取得する。紙葉類処理装置は、取得した画像に基づいて、紙葉類の種類の判定、真偽の判定、及び紙葉類の再流通の可否の判定などを行う。紙葉類処理装置は、判定結果に基づいて紙葉類を種類毎に区分して集積する。【０００３】
しかし、紙葉類に対して光を投光する照明装置は、経年変化などによって光量が低下する。照明装置の光量が低下する場合、光学式検知装置により取得する画像が全体的に暗くなる可能性がある。【０００４】
そこで、光学式検知装置は、照明装置、検知部、及び標準反射板を備える。照明装置は、所定の範囲（検知面）に対して光を投光する。検知部は、検知面から光を検知し、画像を取得する。標準反射板（基準部材）は、検知部に対して基準光を与える。【０００５】
検知面に紙葉類が存在する場合、照明装置から射出される光は、紙葉類により反射される。紙葉類により反射される光は、検知部に入射する。これにより、検知部は、紙葉類の画像を取得する。【０００６】
検知面に紙葉類が存在しない場合、照明装置から射出される光は、基準部材により反射される。基準部材により反射される光（基準光）は、検知部に入射する。これにより、検知部は、基準光を取得する。【０００７】
光学式検知装置は、基準部材から検知する基準光に基づいて検知部により検知する信号の増幅率を補正する。光学式検知装置は、補正を行った検知部により紙葉類の画像を取得する。これにより、光学式検知装置は、安定した紙葉類の画像を取得することができる。【０００８】
しかし、紙葉類を処理する場合、基準部材に紙粉、及び汚れなどが付着する場合がある。この場合、検知部が基準部材から検知する基準光が変動する可能性がある。即ち、補正を正確に行う事ができなくなる為、検知部により安定して画像を取得することが出来なくなる問題がある。この問題を防止するためには、基準部材に付着する紙粉、及び汚れを取り除く必要がある。【０００９】
例えば、日本国出願の特許文献である特許文献１には、基準部材が取り出される場合に基準部材と接触する位置に設けられたフェルトなどにより汚れを取り去る方法が記載されている。
【先行技術文献】
【特許文献】
【００１０】
【特許文献１】特公平８−３１１６１号公報
【発明の概要】
【発明が解決しようとする課題】
【００１１】
しかし、この方法は、捜査員が基準部材を取り出す際に行われる方法である。手動で行う必要があり、手間であるという問題がある。【００１２】
また、基準部材に紙粉、及び汚れが付着することを防止する方法として、基準部材にエアを吹き付ける方法がある。しかし、この方法は、エアを吹き付けるユニットを基準部材の近傍に設ける必要があるという問題がある。また、エアでは取り除くことが出来ない汚れが基準部材に付着する場合があるという問題がある。【００１３】
またさらに、基準部材の取り付け位置を搬送路に近づける方法がある。この場合、搬送路により搬送される紙葉類によって基準部材の紙粉、及び汚れなどを取り除くことができる。しかし、搬送路を高速で搬送される紙葉類により基準部材を傷つける可能性があるという問題がある。【００１４】
そこで、本発明の一形態における目的は、効率的に基準部材の清掃を行う事ができる基準部材清掃装置、及び基準部材清掃方法を提供することにある。
【課題を解決するための手段】
【００１５】
本発明の一実施形態に係る基準部材清掃装置は、光学式検知装置に用いられる基準部材清掃装置であって、光を反射する基準部材と、前記基準部材と接する位置に設けられ、前記基準部材の表面を清掃する正逆回転が可能である拭取部材と、正回転方向及び逆回転方向のうちの何れかの動力を出力する駆動手段と、前記駆動手段の回転軸に接続され、前記基準部材を所定の方向に搬送するように前記駆動手段の動力を前記基準部材に伝達し、前記拭取部材を所定の方向に回転させるように前記駆動手段の動力を前記拭取部材に伝達する伝達手段と、前記駆動手段の回転方向を制御する制御手段と、を具備する。【００１６】
また、本発明の一実施形態に係る基準部材清掃方法は、光を反射する基準部材と、前記基準部材の表面を清掃する拭取部材とを具備する基準部材清掃装置に用いられる基準部材清掃方法であって、正回転方向及び逆回転方向のうちの何れかの動力を出力し、前記基準部材を所定の方向に搬送するように前記動力を前記基準部材に伝達し、前記拭取部材を所定の方向に回転させるように前記動力を前記拭取部材に伝達し、前記動力の回転方向を制御する。
【発明の効果】
【００１７】
この発明の一形態によれば、効率的に基準部材の清掃を行う事ができる基準部材清掃装置、及び基準部材清掃方法を提供することができる。
【図面の簡単な説明】
【００１８】
【図１】図１は、本発明の一実施形態に係る光学式検知装置の構成例について説明する為の説明図である。
【図２】図２は、図１に示す光学式検知装置に用いられる基準部材清掃装置の構成例について説明する為の説明図である。
【図３】図３は、図２に示す基準部材清掃装置の構成について説明する為の説明図である。
【図４】図４は、図２及び図３に示す位置検出センサの構成について説明する為の説明図である。
【図５】図５は、図２に示す基準部材清掃装置の構成について説明する為の説明図である。
【図６】図６は、図２に示す基準部材清掃装置の動作について説明する為の説明図である。
【図７】図７は、図１に示す紙葉類処理装置の動作について説明する為のフローチャートである。
【発明を実施するための形態】
【００１９】
以下、図を参照しながら、本発明の一実施形態に係る基準部材清掃装置、及び基準部材清掃方法について詳細に説明する。
【００２０】
図１は、本発明の一実施形態に係る光学式検知装置１０の構成例について説明する為の説明図である。  
光学式検知装置１０は、例えば、紙葉類処理装置１００の搬送路５０の近傍に配置される。光学式検知装置１０は、標準反射板（基準部材）２０、検知部３０、ランプ３５、及び画像メモリ３８などを備える。
【００２１】
搬送路５０は、紙葉類処理装置１００により処理する紙葉類Ｐを搬送する搬送系である。搬送路５０は、搬送ローラ５１ａ、５１ｂ、５２ａ、５２ｂ、及び搬送ベルト５０ａ、５０ｂ、５０ｃなどを備える。
【００２２】
搬送ローラは、図示しないモータなどにより駆動されて回転する。搬送ベルトは、搬送ローラにより動作する。即ち、搬送ローラは、回転することにより密着して設置される搬送ベルトを所定の方向に動作させる。搬送ベルトは、被検出媒体である紙葉類Ｐを挟持して矢印Ａの方向に搬送する。
【００２３】
なお、本例では、光学式検知装置１０により紙葉類Ｐの画像を取得する為に、検知部３０の検知範囲内に搬送ベルトが掛からない用に搬送ローラ及び搬送ベルトが配置される。
【００２４】
ランプ３５は、照明部として機能する。ランプ３５は、少なくとも検知部３０の検知範囲を含む検知面３６に対して光を投光する。検知面３６に紙葉類Ｐが存在する場合、ランプ３５から放射された光は、紙葉類Ｐにより反射する。また、検知面３６に紙葉類Ｐが存在しない場合、ランプ３５から放射された光は、標準反射板２０により反射する。
【００２５】
ランプ３５は、例えば、ハロゲンランプまたは紫外線ランプなどの照明装置である。ランプ３５は、検出する紙葉類Ｐに印刷されている模様、及びインクの特性に応じて波長が設定される。なお、ランプ３５と検知面３６との間に所定の波長の光のみを透過するフィルタを設定する構成であってもよい。
【００２６】
標準反射板２０は、図１に示す様に、検知部３０と搬送ベルト５０を挟んで対向側に設けられる。標準反射板２０は、後述する標準反射面を備える。標準反射面は、ランプ３５から放射される光を反射し、基準光を検知部３０に対して与える。即ち、標準反射面は、入射する光を基準光として反射する。なお、標準反射板２０は、後述する標準反射板清掃装置（基準部材清掃装置）により支持される。
【００２７】
検知部３０は、レンズ３１、フィルタ３２、及びカメラ３３などを備える。レンズ３１は、紙葉類Ｐまたは標準反射板２０により反射される反射光を集光する。フィルタ３２は、レンズ３１により集光した光のうち、所定の波長の光のみを透過する。カメラ３３は、フィルタ３２を透過した光を検知する。
【００２８】
カメラ３３は、ラインイメージセンサ３３ａを備える。ラインイメージセンサ３３ａは、紙葉類Ｐの搬送方向と直交する方向（走査方向）に複数配列された例えばＣｈａｒｇｅ  Ｃｏｕｐｌｅｄ  Ｄｅｖｉｃｅ（ＣＣＤ）などの受光素子を備える。ラインイメージセンサ３３ａは、検知面３６の画像を連続して取得し、逐次画像メモリ３８に出力する。これにより、紙葉類Ｐの全体の画像を取得する。
【００２９】
画像メモリ３８は、検知部３０から出力される１ライン分の画像を結合して記憶する。即ち、画像メモリ３８は、検知部３０から出力される複数のラインの画像から紙葉類Ｐの全体の画像を生成する。
【００３０】
データ処理部４０は、例えばマイクロコンピュータシステムである。データ処理部４０は、メモリ４１、及びセントラルプロセッサユニット（ＣＰＵ）４２を備える。ＣＰＵ４２は、光学式検知装置１０の画像メモリ３８から紙葉類Ｐの画像を読み出す。ＣＰＵ４２は、読み出した画像をメモリ４１に記憶する。ＣＰＵ４２は、メモリ４１に記憶したデータに基づいて種々の処理を行う。
【００３１】
図２は、図１に示す光学式検知装置に用いられる標準反射板清掃装置２３の構成例について説明する為の説明図である。  
標準反射板清掃装置２３は、標準反射板２０を支持する。標準反射板２０は、搬送される紙葉類Ｐと搬送ベルト５０ａを挟んで対向側に配置される。標準反射板２０は、標準反射面２１ａ、２１ｂ、及び２１ｃを備える。各標準反射面２１ａ乃至２１ｃは、標準反射板２０の検知部３０側の表面に設けられる。
【００３２】
光学式検知装置１０は、紙葉類Ｐの全面を読み取ることが好ましい。しかし、搬送ベルト５０により紙葉類Ｐを挟持した状態で搬送する場合、検知面３６において搬送ベルト５０により遮られる領域が生じる。これを防ぐために、本実施形態では、検知面３６において紙葉類Ｐを下側の搬送ベルト５０ａに吸着した状態で搬送する。
【００３３】
この為に、標準反射板２０には、穴２２ａが設けられている。穴２２ａは、空気抜き用の穴である。標準反射板２０は、紙葉類Ｐを搬送する搬送ベルト５０ａの下部に配置される。穴２２ａは、搬送ベルト５０ａが通る部分に設けられる。この為に、標準反射面２１ａ乃至２１ｃは、搬送ベルト５０ａによって分離される３個の領域に設置される。
【００３４】
また、図示するように、搬送ベルト５０ａにも穴が設けられている。これにより、穴２２ａから空気を抜く場合、紙葉類Ｐが搬送ベルト５０ａに吸着される状態になる。この結果、紙葉類Ｐと検知部３０との間に遮蔽物がない状態で紙葉類Ｐを搬送することが出来る。
【００３５】
また、標準反射板清掃装置２３は、回転ブラシ２４、伝達手段２５、駆動モータ２６、ガイド部材２７、及び位置検出センサ２８を具備する。さらに、標準反射板清掃装置２３は、上記の各部を制御する制御部２９をさらに具備する。標準反射板清掃装置２３は、伝達手段２５及び駆動モータ２６により、矢印Ｂの方向、即ち、紙葉類Ｐの搬送方向（矢印Ａの方向）と直交する方向に進退自在に標準反射板２０を移動させることが出来る。
【００３６】
回転ブラシ２４は、シャフトを中心に正逆回転可能な清掃部材である。回転ブラシ２４は、標準反射板２０と摺接する位置に設けられる。回転ブラシ２４は、標準反射板２０と同じ幅、若しくはそれ以上の幅を有する。なお、清掃部材は、標準反射面２１ａ乃至２１ｃに傷を付けずに紙粉及び汚れを取り除くことが出来るものであれば如何なる物で構成されていてもよい。
【００３７】
伝達手段２５は、駆動モータ２６の駆動力を各部に伝達する。伝達手段２５は、プーリ２５ａ、歯車２５ｂ、及び歯車２５ｃなどの回転要素を具備する。駆動モータ２６は、正回転方向及び逆回転方向のいずれかの動力を出力する駆動手段である。ガイド部材２７は、駆動モータ２６、及び伝達手段２５のシャフトなどを支持する。位置検出センサ２８は、標準反射板２０の動作を監視する。
【００３８】
次に、標準反射板２０を移動させる動作について説明する。  
図３に示すように、伝達手段２５は、駆動ベルト２５ｄと連動部材２５ｅとをさらに備える。
【００３９】
駆動ベルト２５ｄは、駆動モータ２６のシャフトに連結されているプーリ２６ａとプーリ２５ａとに掛け回されて設置される。即ち、プーリ２５ａは、駆動モータ２６の回転方向と同じ方向に回転する。
【００４０】
また、駆動ベルト２５ｄは、駆動モータ２６により所定の方向に動作する。なお、駆動モータ２６は、正逆回転可能である。この為、駆動ベルト２５ｄは、駆動モータ２６により上記の所定の方向と逆方向に動作することが出来る。即ち、駆動ベルト２５ｄは、駆動モータ２６により矢印Ｂの方向に動作する。なお、プーリ２６ａとプーリ２５ａとは、少なくとも標準反射板２０の移動距離以上離間して配置される。
【００４１】
連動部材２５ｅは、駆動ベルト２５ｄと標準反射板２０とを連結する。連動部材２５ｅの一端は、駆動ベルト２５ｄに接続されている。また、連動部材２５ｅの一端は、標準反射板２０に接続されている。
【００４２】
即ち、駆動モータ２６が正回転する場合、駆動ベルト２５ｄは、連動部材２５ｅ及び標準反射板２０を矢印Ｂの方向に搬送する。また、駆動モータ２６が逆回転する場合、駆動ベルト２５ｄは、連動部材２５ｅ及び標準反射板２０を矢印Ｂと反対の方向に搬送する。これにより、標準反射板清掃装置２３は、標準反射板２０を進退自在に搬送することが出来る。
【００４３】
図４は、図２及び図３に示す位置検出センサ２８の構成について説明する為の説明図である。  
位置検出センサ２８は、例えば赤外線などを検出することにより、標準反射板２０の移動距離を検知する。
【００４４】
位置検出センサ２８は、射出部２８ａ及び入射部２８ｂを備えている。射出部２８ａは、例えば赤外線などの光を射出する。入射部２８ｂは、光が入射することを検知する。射出部２８ａ及び入射部２８ｂは、図４に示すように、互いに対向する位置に設けられる。
【００４５】
図４Ａは、標準反射板２０が射出部２８ａと入射部２８ｂとの間に存在しない例を示す。また、図４Ｂは、標準反射板２０が射出部２８ａと入射部２８ｂとの間に存在する例を示す。
【００４６】
図４Ａに示すように、標準反射板２０が射出部２８ａと入射部２８ｂとの間に存在しない場合、射出部２８ａから射出される赤外線が入射部２８ｂに入射する。この場合、入射部２８ｂは、標準反射板２０が射出部２８ａと入射部２８ｂとの間に存在することを示す信号を制御部２９に送信する。
【００４７】
また、図４Ｂに示すように、標準反射板２０が射出部２８ａと入射部２８ｂとの間に存在する場合、射出部２８ａから射出される赤外線が標準反射板２０により遮られる。この為、射出部２８ａから射出される赤外線が入射部２８ｂに入射しない。制御部２９は、位置検出センサ２８から出力される信号に基づいて、位置検出センサ２８の射出部２８ａと入射部２８ｂとの間に標準反射板２０が存在するか否かを判断する。
【００４８】
制御部２９は、位置検出センサ２８の射出部２８ａと入射部２８ｂとの間に標準反射板２０が存在すると判断する場合、駆動モータ２６を逆回転させるように制御する。位置検出センサ２８を設置する位置及び数を調整することにより、標準反射板清掃装置２３は、標準反射板２０を所定の位置に移動させることが出来る。
【００４９】
図５は、基準部材清掃装置２３の伝達手段２５の構成について説明する為の説明図である。  
上述したように、駆動ベルト２５ｄがプーリ２６ａとプーリ２５ａとに掛け回されて設置される。この為、プーリ２５ａは、駆動モータ２６と連動して回転する。
【００５０】
図５に示すように、伝達手段２５は、シャフト２５ｆ及びシャフト２５ｇなどの回転軸をさらに備える。シャフト２５ｆ及びシャフト２５ｇは、図２に示すガイド部材２７により支持される。
【００５１】
シャフト２５ｆには、プーリ２５ａと歯車２５ｂとが設置されている。駆動モータ２６によりプーリ２５ａが回転する場合、シャフト２５ｆがプーリ２５ａに連動して回転する。また、シャフト２５ｆが回転する場合、歯車２５ｂがシャフト２５ｆに連動して回転する。
【００５２】
シャフトｇには、歯車２５ｃと回転ブラシ２４とが設置されている。歯車２５ｂ及び歯車２５ｃは、互いに歯が噛み合う位置に設置される。即ち、歯車２５ｂが回転する場合、歯車２５ｃは、歯車２５ｂの回転方向と逆方向に回転する。
【００５３】
歯車２５ｂにより歯車２５ｃが回転する場合、シャフト２５ｇが歯車２５ｃに連動して回転する。また、シャフト２５ｇが回転する場合、回転ブラシ２４がシャフト２５ｇに連動して回転する。
【００５４】
図３において説明したように、標準反射板２０が矢印Ｂの方向に移動する場合、プーリ２５ａは、矢印Ｃの方向（クロックワイズ）に回転する。また、歯車２５ｂは、プーリ２５ａに連動して矢印Ｃの方向に回転する。
【００５５】
歯車２５ｂは、歯車２５ｃに矢印Ｄの方向（カウンターワイズ）の回転を伝える。また、回転ブラシ２４は、歯車２５ｃに連動して矢印Ｄの方向に回転する。
【００５６】
図６は、基準部材清掃装置２３の動作について説明する為の説明図である。  
図６Ａに示すように、標準反射板清掃装置２３は、標準反射板２０の清掃要求を紙葉類処理装置１００から受け取る場合、標準反射板２０の汚れＥの清掃（標準反射板清掃処理）を行う。
【００５７】
標準反射板清掃装置２３は、標準反射板清掃処理を行う場合、位置検出センサ２８により標準反射板２０が所定距離移動するまで駆動モータ２６を正回転させる。この場合、標準反射板２０は、図５に示す矢印Ｂの方向に所定距離移動される。即ち、標準反射板清掃装置２３は、標準反射板２０を矢印Ｂの方向に引き込む。
【００５８】
また、回転ブラシ２４は、図５に示す矢印Ｄの方向に回転する。なお、回転ブラシ２４は、標準反射板２０と摺接する位置に設けられている。この為、回転ブラシ２４は、矢印Ｂの方向に移動される標準反射板２０の紙粉及び汚れなどを拭き取ることができる。すなわち、回転ブラシ２４は、引き込まれる標準反射板２０と逆の方向に回転することにより、標準反射板２０全体を清掃する。
【００５９】
この結果、標準反射板２０は、図６Ｂに示す位置まで引き込まれる。また、標準反射板清掃装置２３は、標準反射板２０の汚れＥを取り除くことができる。
【００６０】
また、位置検出センサ２８により標準反射板２０が所定距離移したことを検知する場合、標準反射板清掃装置２３は、駆動モータ２６を逆回転させる。この場合、標準反射板２０は、図５に示す矢印Ｂと逆の方向に所定距離移動される。これにより、標準反射板清掃装置２３は、標準反射板２０をもとの位置（ホームポジション）に押し出す。
【００６１】
また、この場合、回転ブラシ２４は、図５に示す矢印Ｄと反対の方向に回転する。この為、回転ブラシ２４は、矢印Ｂと反対の方向に移動される標準反射板２０の紙粉及び汚れなどを再び拭き取ることができる。
【００６２】
上記したように、本実施形態に係る標準反射板清掃装置２３は、１つの駆動モータ２６を駆動することにより、標準反射板２０を所定の方向に移動させる動作と、標準反射板２０に摺接する位置に設けられている回転ブラシ２４を回転させる動作とを同時に実現することが出来る。さらに、標準反射板清掃装置２３は、標準反射板２０を移動させる方向と、回転ブラシ２４の回転方向とが、摺接する位置において逆向きになるように各部を動作させることが出来る。
【００６３】
この結果、従来手作業で行っている標準反射板２０の拭き取り作業を自動的に行うことが出来る。この結果、効率的に基準部材の清掃を行う事ができる基準部材清掃装置、及び基準部材清掃方法を提供することができる。
【００６４】
なお、上記の実施形態では、位置検出センサ２８により標準反射板２０の位置を検出する構成として説明したが、この構成に限定されない。例えば、駆動モータ２６の回転数により標準反射板２０の位置を検出する構成であってもよい。この場合、制御部２９は、駆動モータ２６に対して正回転を所定数行い、この後に、逆回転を所定数行うように駆動モータ２６を制御する。
【００６５】
図７は、図１に示す紙葉類処理装置１００の動作について説明する為のフローチャートである。  
紙葉類処理装置１００は、電源が投入される場合（ステップＳ１）、初期化処理及び標準反射板清掃処理を行う（ステップＳ２）。紙葉類処理装置１００は、初期化処理を行う場合、残留紙葉類の確認、券種による機構の違いの調整などを行う。また、紙葉類処理装置１００は、初期化処理を行う場合、各機構をホームポジションに戻す。
【００６６】
またさらに、紙葉類処理装置１００は、光学式検知装置１０の標準反射板清掃装置２３に標準反射板清掃要求を送信する。標準反射板清掃装置２３は、標準反射板清掃要求を受信する場合、上記した標準反射板清掃処理を行う。
【００６７】
紙葉類処理装置１００は、紙葉類Ｐが複数枚重ねられたバッチ（紙葉類束）の区分処理を行う（ステップＳ３）。即ち、紙葉類処理装置１００は、投入されるバッチの紙葉類Ｐを一枚ずつ取り込み、光学式検知装置１０、またはその他の検査装置により検査を行う。これにより、紙葉類処理装置１００は、紙葉類Ｐの正損、券種、及び真偽などを判定する。紙葉類処理装置１００は、正損、券種、及び真偽などの判定に基づいて紙葉類Ｐを区分して集積する。
【００６８】
紙葉類処理装置１００は、１つのバッチについて区分処理を完了すると、標準反射板清掃処理を行う（ステップＳ４）。即ち、紙葉類処理装置１００は、光学式検知装置１０の標準反射板清掃装置２３に標準反射板清掃要求を送信する。標準反射板清掃装置２３は、標準反射板清掃要求を受信する場合、上記した標準反射板清掃処理を行う。
【００６９】
紙葉類処理装置１００は、次に処理すべきバッチが存在するか否か判定する（ステップＳ５）。処理すべきバッチが存在する場合（ステップＳ５、ＹＥＳ）、紙葉類処理装置１００は、ステップＳ３に移行し、紙葉類Ｐの区分処理を行う。
【００７０】
また、処理すべきバッチが存在しない場合（ステップＳ５、ＮＯ）、紙葉類処理装置１００は、上記した初期化処理及び標準反射板清掃処理を行い（ステップＳ６）、処理を終了する。
【００７１】
上記したように、本実施形態に係る紙葉類処理装置１００は、処理を開始するタイミング、処理が完了するタイミング、及び各バッチの処理が完了するタイミングにおいて標準反射板清掃処理を行う。これにより、紙葉類処理装置１００は、各バッチ毎に、清掃された標準反射板を用いて区分処理を行う事ができる。
【００７２】
これにより、光学式検知装置１０は、標準反射板２０に紙粉及び汚れなどが付着することにより標準反射板２０から検知部３０が取得する基準光のレベルがばらつくことを防ぐことが出来る。この結果、光学式検知装置１０が紙葉類Ｐに対して行う判定において誤判定することを防ぐことが出来る。
【００７３】
なお、上記した実施形態では、処理を開始するタイミング、処理が完了するタイミング、及び各バッチの処理が完了するタイミングにおいて標準反射板清掃処理を行うとして説明したがこれに限定されない。紙葉類処理装置１００の操作入力部に所定の操作入力が行われる場合に標準反射板清掃処理を行う構成であってもよい。
【００７４】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【産業上の利用可能性】
【００７５】
この発明の一形態によれば、効率的に基準部材の清掃を行う事ができる基準部材清掃装置、及び基準部材清掃方法を提供することができる。
【符号の説明】
【００７６】
１０…光学式検知装置、２０…標準反射板、２１ａ…標準反射面、２１ｂ…標準反射面、２１ｃ…標準反射面、２２ａ…穴、２３…標準反射板清掃装置、２４…回転ブラシ、２５…伝達手段、２５ａ…プーリ、２５ｂ…歯車、２５ｃ…歯車、２５ｄ…駆動ベルト、２５ｅ…連動部材、２５ｆ…シャフト、２５ｇ…シャフト、２６…駆動モータ、２６ａ…プーリ、２７…ガイド部材、２８…位置検出センサ、２９…制御部、３０…検知部、３１…レンズ、３２…フィルタ、３３…カメラ、３３ａ…ラインイメージセンサ、３５…ランプ、３６…検知面、３８…画像メモリ、４０…データ処理部、４１…メモリ、４２…ＣＰＵ、５０…搬送路、５０ａ…搬送ベルト、５０ｂ…搬送ベルト、５１ａ…搬送ローラ、５１ｂ…搬送ローラ、１００…紙葉類処理装置。
【図１】
2010044428.tif 000003
【図２】
2010044428.tif 000004
【図３】
2010044428.tif 000005
【図４】
2010044428.tif 000006
【図５】
2010044428.tif 000007
【図６】
2010044428.tif 000008
【図７】
2010044428.tif 000009
【国際調査報告】
2010044428.tif 000010
2010044428.tif 000011
2010044428.tif 000012
2010044428.tif 000013